【手続補正書】
【提出日】平成16年7月26日(2004.7.26)
【手続補正１】
【補正対象書類名】明細書
【補正対象項目名】発明の名称
【補正方法】変更
【補正の内容】
【発明の名称】炉内圧力制御方法及び原料を処理する方法並びに装置
【手続補正２】
【補正対象書類名】明細書
【補正対象項目名】特許請求の範囲
【補正方法】変更
【補正の内容】
【特許請求の範囲】
【請求項１】
都市ごみや産業廃棄物などを焼却又はガス化する流動床焼却炉又は流動床ガス化炉の炉内圧力制御方法において、
流動床下部から燃焼用空気を送り込む流動空気ラインに調節ダンパを設置し、該調節ダンパにより炉内への燃焼用空気の吹き込みを制御し炉内圧力を制御することを特徴とする炉内圧力制御方法。
【請求項２】
都市ごみや産業廃棄物などを焼却又はガス化する流動床焼却炉又は流動床ガス化炉の炉内圧力制御方法において、
流動床下部から燃焼用空気を送り込む流動空気ラインにバイパスラインを設け、バイパスラインに調節ダンパを設置し、該調節ダンパにより炉内への燃焼用空気の吹き込みを制御し炉内圧力を制御することを特徴とする炉内圧力制御方法。
【請求項３】
前記バイパスラインの吹き込み口を焼却炉の上部又はガス化炉の後段に設置したことを特徴とする請求項２記載の炉内圧力制御方法。
【請求項４】
原料及び燃焼用空気が供給される流動床ガス化炉と、二次燃焼用空気が供給される溶融炉と、炉内圧力を負圧に維持する誘引送風機とを備えた、原料を処理する装置において、
該流動床ガス化炉の炉内圧力を検出する検出端と、
該検出端により検出された炉内圧力をＰＶ０として出力する圧力伝送器と、
該炉内圧力のＰＶ０の脈動を吸収した出力ＰＶ１を得るための一次遅れフィルタと、
該出力ＰＶ１をＰＩＤ演算して制御出力ＭＶ１を得るためのＰＩＤ調節計とを備え、
該制御出力ＭＶ１により、該誘引送風機のＶＶＶＦインバータの周波数制御を行うか、又は該誘引送風機の入り口に設置したダンパを制御して炉内圧力を制御することを特徴とする処理装置。
【請求項５】
原料及び燃焼用空気が供給される流動床ガス化炉と、二次燃焼用空気が供給される溶融炉と、炉内圧力を負圧に維持する誘引送風機とを備えた、原料を処理する装置において、
該流動床ガス化炉の炉内圧力を検出する検出端と、
該検出端により検出された炉内圧力をＰＶ０として出力する圧力伝送器と、
該圧力伝送器の出力ＰＶ０を演算して演算出力ＣＶ０を得る演算器と、
該流動床ガス化炉に燃焼用空気を供給する流動空気ラインと、
該流動空気ラインに設けられ、該溶融炉に燃焼用空気を吹き込むバイパスラインと、
該バイパスラインに設けられ、該演算出力ＣＶ０を制御信号として開度が動作される調節ダンパとを備えたことを特徴とする処理装置。
【請求項６】
流動床ガス化炉に原料及び燃焼用空気を供給し、溶融炉に二次燃焼用空気を供給し、原料を処理する方法において、
検出端により該流動床ガス化炉の炉内圧力を検出し、
該検出端により検出された炉内圧力を圧力伝送器によりＰＶ０として出力し、
一次遅れフィルタにより該炉内圧力のＰＶ０の脈動を吸収した出力ＰＶ１を得、
ＰＩＤ調節計により該出力ＰＶ１をＰＩＤ演算して制御出力ＭＶ１を得、
該制御出力ＭＶ１により、誘引送風機のＶＶＶＦインバータの周波数制御を行うか、又は誘引送風機の入り口に設置したダンパを制御して炉内圧力を制御することを特徴とする処理方法。
【請求項７】
流動床ガス化炉に原料及び燃焼用空気を供給し、溶融炉に二次燃焼用空気を供給し、原料を処理する方法において、
検出端により該流動床ガス化炉の炉内圧力を検出し、
該検出端により検出された炉内圧力を圧力伝送器によりＰＶ０として出力し、
演算器により該圧力伝送器の出力ＰＶ０を演算して演算出力ＣＶ０を得、
流動空気ラインにより該流動床ガス化炉に燃焼用空気を供給し、
該演算出力ＣＶ０を制御信号として、該流動空気ラインに設けられるとともに該溶融炉に燃焼用空気を吹き込むバイパスラインに設けられた調節ダンパの開度が動作されることを特徴とする処理方法。
【手続補正３】
【補正対象書類名】明細書
【補正対象項目名】０００１
【補正方法】変更
【補正の内容】
【０００１】
【発明の属する技術分野】
本発明は都市ごみや産業廃棄物などの各種廃棄物を焼却又はガス化する焼却炉又はガス化炉の炉内圧力を制御する炉内圧力制御方法及び原料を処理する方法並びに装置に関するものである。
【手続補正４】
【補正対象書類名】明細書
【補正対象項目名】０００７
【補正方法】変更
【補正の内容】
【０００７】
本発明は、上述の欠点を除去するため、流動床下部から送り込む流動空気ラインに調節ダンパを設けるか、又は、流動空気ラインにバイパスラインを設けるとともにバイパスラインに調節ダンパを設けることにより、炉内圧力が上昇した場合、流動空気ラインまたはバイパスラインに設置した調節ダンパによって燃焼用空気量を制御し流動化を緩慢にすることにより、ガス化量を抑制し圧力の上昇を押さえることができる炉内圧力制御方法及び原料を処理する方法並びに装置を提供することを目的とするものである。
【手続補正５】
【補正対象書類名】明細書
【補正対象項目名】０００８
【補正方法】変更
【補正の内容】
【０００８】
【課題を解決するための手段】
上述の目的を達成するため、本発明の炉内圧力制御方法の１態様は、都市ごみや産業廃棄物などを焼却又はガス化する流動床焼却炉又は流動床ガス化炉の炉内圧力制御方法において、流動床下部から燃焼用空気を送り込む流動空気ラインに調節ダンパを設置し、該調節ダンパにより炉内への燃焼用空気の吹き込みを制御し炉内圧力を制御するものである。
【手続補正６】
【補正対象書類名】明細書
【補正対象項目名】０００９
【補正方法】変更
【補正の内容】
【０００９】
また本発明の炉内圧力制御方法の他の態様は、都市ごみや産業廃棄物などを焼却又はガス化する流動床焼却炉又は流動床ガス化炉の炉内圧力制御方法において、流動床下部から燃焼用空気を送り込む流動空気ラインにバイパスラインを設け、バイパスラインに調節ダンパを設置し、該調節ダンパにより炉内への燃焼用空気の吹き込みを制御し炉内圧力を制御するものである。
また、前記バイパスラインの吹き込み口を焼却炉の上部又はガス化炉の後段に設置する。
本発明の処理装置の１態様は、原料及び燃焼用空気が供給される流動床ガス化炉と、二次燃焼用空気が供給される溶融炉と、炉内圧力を負圧に維持する誘引送風機とを備えた、原料を処理する装置において、
該流動床ガス化炉の炉内圧力を検出する検出端と、該検出端により検出された炉内圧力をＰＶ０として出力する圧力伝送器と、該炉内圧力のＰＶ０の脈動を吸収した出力ＰＶ１を得るための一次遅れフィルタと、該出力ＰＶ１をＰＩＤ演算して制御出力ＭＶ１を得るためのＰＩＤ調節計とを備え、該制御出力ＭＶ１により、該誘引送風機のＶＶＶＦインバータの周波数制御を行うか、又は該誘引送風機の入り口に設置したダンパを制御するものである。
また、本発明の処理装置の他の態様は、原料及び燃焼用空気が供給される流動床ガス化炉と、二次燃焼用空気が供給される溶融炉と、炉内圧力を負圧に維持する誘引送風機とを備えた、原料を処理する装置において、該流動床ガス化炉の炉内圧力を検出する検出端と、該検出端により検出された炉内圧力をＰＶ０として出力する圧力伝送器と、該圧力伝送器の出力ＰＶ０を演算して演算出力ＣＶ０を得る演算器と、該流動床ガス化炉に燃焼用空気を供給する流動空気ラインと、該流動空気ラインに設けられ、該溶融炉に燃焼用空気を吹き込むバイパスラインと、該バイパスラインに設けられ、該演算出力ＣＶ０を制御信号として開度が動作される調節ダンパとを備えるものである。
また、本発明の処理方法の１態様は、流動床ガス化炉に原料及び燃焼用空気を供給し、溶融炉に二次燃焼用空気を供給し、原料を処理する方法において、検出端により該流動床ガス化炉の炉内圧力を検出し、該検出端により検出された炉内圧力を圧力伝送器によりＰＶ０として出力し、一次遅れフィルタにより該炉内圧力のＰＶ０の脈動を吸収した出力ＰＶ１を得、ＰＩＤ調節計により該出力ＰＶ１をＰＩＤ演算して制御出力ＭＶ１を得、該制御出力ＭＶ１により、誘引送風機のＶＶＶＦインバータの周波数制御を行うか、又は誘引送風機の入り口に設置したダンパを制御して炉内圧力を制御するものである。
また、本発明の処理方法の他の態様は、流動床ガス化炉に原料及び燃焼用空気を供給し、溶融炉に二次燃焼用空気を供給し、原料を処理する方法において、検出端により該流動床ガス化炉の炉内圧力を検出し、該検出端により検出された炉内圧力を圧力伝送器によりＰＶ０として出力し、演算器により該圧力伝送器の出力ＰＶ０を演算して演算出力ＣＶ０を得、流動空気ラインにより該流動床ガス化炉に燃焼用空気を供給し、該演算出力ＣＶ０を制御信号として、該流動空気ラインに設けられるとともに該溶融炉に燃焼用空気を吹き込むバイパスラインに設けられた調節ダンパの開度が動作されるものである。